(57)【要約】      （修正有）【課題】枠部材を１種類で共用化してコストの低減及び資材管理の単純容易化を図りつつ、発泡圧による枠部材の位置ずれや傾きを確実に防止して体裁のよい仕上がりが得られる断熱パネルの接続構造を提供する。【解決手段】隣接する断熱パネル１，１の各一対の表面板３，３間の周縁部に装着される枠部材４，４の幅方向両端部分には、表面板３，３端部の差込用溝４ｃ，４ｃが形成されているとともに、これら枠部材４，４の中間部分には外方へ向かって突出する突条部４ｄ，４ｄとその背面側に凹条部４ｅが形成されており、両枠部材４，４同士を突き合わせて隣接断熱パネル１，１を接続するとき、一方の枠部材４の突条部４ｄが他方の枠部材４の突条部４ｄ背面側の凹条部４ｅに嵌合するように両枠部材４，４は同一形状の雄雌兼用型に形成されている。【選択図】      図１
2008025108.tif 000002
【特許請求の範囲】
【請求項１】
所定間隔を隔てて互いに平行に配設される一対の表面板と、この一対の表面板間の周縁部または周縁部に近接する一方の表面板の端部に装着される枠部材と、この枠部材と前記一対の表面板とで形成される空間部に発泡充填された発泡断熱芯材とから断熱パネル同士を、両パネルそれぞれの前記枠部材同士を突き合せた状態で接続する断熱パネルの接続構造であって、
接続される前記両パネルの枠部材は、それぞれ幅方向の両端部分に前記一対の表面板の端部差込用溝が形成されているとともに、それぞれの中間部分に前記両端部分に対して外方に向かって突出する突条部が形成されてなり、これら両枠部材同士を突き合わせ接続するとき、一方の枠部材の突条部が他方の枠部材の突条部背面側の凹条部に嵌合するように同一形状の雄雌兼用型に形成されていることを特徴とする断熱パネルの接続構造。
【請求項２】
前記枠部材の幅方向の両端部分には、前記断熱パネルにおける一対の表面板の内面間寸法に相当する幅となるように側方に長く突出する長寸突出部とこの長寸突出部の内外両側にそれぞれ短寸突出部とを有し、これら短寸突出部にそれぞれ前記表面板の端部差込用溝が形成されている請求項１に記載の断熱パネルの接続構造。
【発明の詳細な説明】
【技術分野】
【０００１】
本発明は、例えばクリーンルームや冷凍冷蔵倉庫などにおける断熱用の壁や天井あるいは断熱用間仕切りの施工に使用される断熱パネルの接続構造に関する。
【背景技術】
【０００２】
断熱用の壁や天井などの施工に用いられる一般的な断熱パネルは、一般的に、所定間隔を隔てて互いに平行に配設される一対の表面板と、この一対の表面板間の周縁部または周縁部に近接する一方の表面板の端部に装着される枠部材と、この枠部材と前記一対の表面板とで形成される空間部に発泡充填される、例えば発泡ポリウレタンなどの発泡断熱芯材とから構成されている。
【０００３】
そして、例えば同一平面上で直線状に配置した壁用の断熱パネル同士、あるいは、壁用の断熱パネルと天井用の断熱パネルとを接続する場合、両断熱パネルの枠部材同士を突き合わせる手段が採られるが、このとき、外観的に不体裁がなく仕上がりのよい接続構造が得られるようにするためには、両パネルが互いに位置ずれしないようにすること、及び、前記発泡断熱芯材を発泡充填する際に発泡圧で前記枠部材がずれ移動しないようにすること、が非常に重要な要求性能である。このような要求性能に応える断熱パネルの接続構造として、従来、両断熱パネルに互いに凹凸嵌合する雌形枠部材と雄形枠部材とを装着し、これら雌雄の枠部材を互いに凹凸嵌合させることで、両断熱パネルを位置決めする一方、それら雌雄の枠部材の両端部間で断熱パネルの表面材の折り曲げ端部分を挟み固定するようにしたものが提案されている（例えば、特許文献１参照）。
【０００４】
また、上記の特許文献１で示すものと同様に、両断熱パネルに互いに凹凸嵌合する雌形枠部材と雄形枠部材とを装着し、これら雌雄の枠部材を互いに凹凸嵌合させることで、両断熱パネルを位置決めする一方、それら雌雄の枠部材に形成した溝内に断熱パネルの表面材の折り曲げ端部分を差入れることにより、前記枠部材を発泡圧に対抗させてずれ移動しないようにしたものも提案されていた（例えば、特許文献２参照）。
【０００５】
【特許文献１】特開平１１−３１５５８４号公報
【特許文献２】特開平９−６０１４１号公報
【発明の開示】
【発明が解決しようとする課題】
【０００６】
しかしながら、上記特許文献１，２に示された従来の断熱パネルの接続構造では、いずれも雌雄２種類の枠部材が必要であり、また、その雌雄２種類の枠部材を断熱パネル毎に使い分ける必要がある。その結果、枠部材、ひいては断熱パネルの接続構造のコストアップを招きやすく、また、枠部材の管理数も増えるという問題がある。さらに、雌雄の枠部材の両端部間で断熱パネルの表面材の折り曲げ端部分を挟み固定する特許文献１に示すような接続構造のものでは、発泡圧によって枠部材が押されて位置ずれしたり傾いたりしやすく、その結果、雌雄２種類の枠部材を密着状態に凹凸嵌合させることができず、接続部に不要なクリアランスが生じるなど不体裁な仕上がりになるという問題があった。
【０００７】
本発明は上記のような実情に鑑みてなされたもので、枠部材を１種類で共用化してコストの低減及び資材管理の単純容易化を図りつつ、発泡圧による枠部材の位置ずれや傾きを確実に防止して体裁のよい仕上がりを得ることができる断熱パネルの接続構造を提供することを目的としている。
【課題を解決するための手段】
【０００８】
上記目的を達成するために、本発明に係る断熱パネルの接続構造は、所定間隔を隔てて互いに平行に配設される一対の表面板と、この一対の表面板間の周縁部または周縁部に近接する一方の表面板の端部に装着される枠部材と、この枠部材と前記一対の表面板とで形成される空間部に発泡充填された発泡断熱芯材とから断熱パネル同士を、両パネルそれぞれの前記枠部材同士を突き合せた状態で接続する断熱パネルの接続構造であって、前記両パネルの枠部材は、それぞれ幅方向の両端部分に前記一対の表面板の端部差込用溝が形成されているとともに、それぞれの中間部分に前記両端部分に対して外方に向かって突出する突条部が形成されてなり、これら両枠部材同士を突き合わせ接続するとき、一方の枠部材の突条部が他方の枠部材の突条部背面側の凹条部に嵌合するように同一形状の雄雌兼用型に形成されていることを特徴としている。
【発明の効果】
【０００９】
上記のような特徴構成を有する本発明によれば、接続対象となる両断熱パネルにおける枠部材が同一形状（合同形）の雌雄兼用型であって、１種類の枠部材を全ての断熱パネルの接続に共用することが可能であるから、その枠部材の製作コストはもとより、その枠部材を使用して構成される断熱パネルの接続構造自体のコストも低減することができるとともに、枠部材の管理数も減少して資材管理を単純容易化することができる。しかも、断熱パネルにおける表面板の端部を前記枠部材の溝に差し入れ固定することが可能で、発泡圧によって枠部材が押されて位置ずれしたり傾いたりすることがなく、枠部材の位置精度及び姿勢精度を均一化できるので、両断熱パネルの枠部材同士を確実に全面密着させて凹凸嵌合させることができ、その結果、接続部に不要なクリアランスができたり、両断熱パネルの表面板が凸凹状に不揃いになるなどして体裁が悪化することを防ぎ、外観的にも接続強度面においても良好な仕上がりを得ることができるという効果を奏する。
【００１０】
特に、前記枠部材の幅方向の両端部分に、前記断熱パネルにおける一対の表面板の内面間寸法に相当する幅となるように側方に長く突出する長寸突出部とこの長寸突出部の内外両側にそれぞれ短寸突出部とを有し、これら短寸突出部にそれぞれ前記表面板の端部差込用溝が形成された構成とする場合（請求項２）は、接続される両断熱パネルにおける枠部材の二つの溝のうち、相手側の断熱パネルに近い方の溝内に表面板の端部を差し込むことで、両断熱パネルの表面板の差込み端部間の隙間を最小限度に止めて、コーキングなどの目地処理する場合はその目地処理を容易にし、また、目地処理しない場合はその隙間を目立たなくして外観的な体裁を一層良好なものにすることができる。
【発明を実施するための最良の形態】
【００１１】
以下、本発明に係る断熱パネルの接続構造の実施の形態を図面にもとづいて説明する。
図１は、同一平面上で直線状に並列配置した複数個の断熱パネル１のうち水平方向で隣接するパネル同士を順次接続することにより、例えば冷凍冷蔵庫やクリーンルームにおける断熱用側壁２を施工した場合の要部の拡大横断面図である。
【００１２】
前記断熱パネル１は、例えば４５ｍｍという所定の間隔ｄを隔てて互いに平行に配設される厚さ０．５〜０．８ｍｍ程度の鋼板やＳＵＳ板等の一対の表面板３，３と、この一対の表面板３，３間の周縁部に装着される枠部材４と、この枠部材４と前記一対の表面板３，３とで形成される空間部に発泡充填された例えば発泡硬質ウレタン等の発泡断熱芯材５とから構成されており、水平方向で隣接する断熱パネル１，１は、両パネル１，１における前記枠部材４，４同士を突き合わせた状態で相互に接続されている。
【００１３】
前記断熱パネル１の枠部材４は、硬質塩化ビニール（ＰＶＣ）や硬質ポリエチレン（ＰＥ）等の硬質樹脂の押出成形により製造されるものである。この枠部材４は、図２に明示するように、その幅方向の両端部分に、前記断熱パネル１における一対の表面板３，３の内面間寸法、すなわち、前記した所定の間隔ｄに相当する幅となるように側方に長く突出する長寸突出部４ａとこの長寸突出部４ａの内外両側にあって側方に短く突出する左右各二つの短寸突出部４ｂ，４ｂとを有するとともに、それら左右各二つの短寸突出部４ｂ，４ｂと長寸突出部４ａとの境界部に、前記断熱パネル１の一対の表面板３，３の直角折返し端部３ａ，３ａを差込み固定可能な端部差込用溝４ｃ，４ｃが形成されている。
【００１４】
また、前記枠部材４の中間部分には、前記幅方向の両端部分に対して外方へ向かって椀底状に突出する突条部４ｄが形成され、かつ、この突条部４ｄの背面側には外方へ向かって凹入する凹条部４ｅが形成されており、隣接する断熱パネル１，１の枠部材４，４同士が突き合わせられたとき、図１のように、一方の枠部材４の突条部４ｄが他方の枠部材４の突条部４ｄ背面側の凹条部４ｅに嵌合するように両枠部材４，４は同一形状（合同形）の雄雌兼用型に形成されている。
【００１５】
上記したことからも明らかなように、接続対象となる両断熱パネル１，１における枠部材４，４が同一形状（合同形）の雌雄兼用型に形成されているので、雌雄２種類の枠部材を準備する必要がなく、１種類の枠部材４を、断熱用側壁２を構成する全ての断熱パネル１の接続に共用することが可能であるために、枠部材４の製作コストはもとより、その枠部材４を使用して構成される断熱パネル１，１の接続構造自体のコストも低減することができ、かつ、枠部材４の管理数も減少して断熱用側壁２の施工現場における資材管理の単純化、容易化を図ることができる。
【００１６】
また、各断熱パネル１における表面板３，３の折返し端部３ａ，３ａを前記枠部材４の溝４ｃ，４ｃに差し入れ固定することが可能であるから、発泡硬質ウレタン等の発泡断熱芯材５の発泡圧によって枠部材４が押されて位置ずれしたり傾いたりすることがなく、該枠部材４の位置精度、姿勢精度を均一化できるので、接続対象となる両断熱パネル１，１の枠部材４，４の突条部４ｄと凹条部４ｅ同士を確実に全面密着状態に凹凸嵌合させることができる。その結果、接続部に不要なクリアランスができたり、両断熱パネル１，１の表面板３，３の外面が不揃いになったりして体裁が悪化することを防ぎ、外観的にも接続強度面においても良好な仕上がりの断熱用側壁２を施工することができる。
【００１７】
殊に、接続対象となる両断熱パネル１，１における枠部材４，４の幅方向両端部分にはその厚み方向に間隔をおいて左右各二つの溝４ｃ，４ｃが形成されているので、それら溝４ｃ，４ｃのうち、相手側の断熱パネル１に近い方の溝４ｃ内に表面板３，３の折返し端部３ａ，３ａを差し込むことにより、両断熱パネル１，１の表面板３，３の差込み折返し端部３ａ，３ａ間にできる隙間を最小限度に止めて、コーキングなどの目地処理する場合はその目地処理を容易にし、また、目地処理しない場合はその隙間を目立たなくして外観的な体裁を一層良好なものにすることができる。
【００１８】
図３は本発明に係る断熱パネルの接続構造を、断熱用側壁２を形成する断熱パネル１と断熱用天井６を形成する断熱パネル１Ｃとの接続に適用した場合の要部の拡大縦断面図である。この場合は、断熱用天井６側の断熱パネル１Ｃの一対の表面板３，３間の周縁部でなく、下方に配置される表面板３で前記周縁部に近接する端部に前記枠部材４が装着される点で上記実施の形態と異なり、その他の構成は上記実施の形態と同一であるため、同一部材及び同一部位に同一の符号を付して、それらの詳しい説明を省略する。
【００１９】
この図３に示す実施の形態の場合も、断熱用天井６側の断熱パネル１Ｃと断熱用側壁２側の断熱パネル１における合同形の雌雄兼用型の枠部材４，４同士が凹凸嵌合することにより、両断熱パネル１，１Ｃを確実に位置決めして接続部に不要なクリアランスを発生することなく、また、両パネル１，１Ｃを正確に直角姿勢に角度出しして体裁のよい仕上がりを得ることができる。
【００２０】
なお、上記各実施の形態では、幅方向両端部分に長寸突出部４ａと左右各二つの短寸突出部４ｂ，４ｂとを有し、かつ、左右各二つの短寸突出部４ｂ，４ｂと長寸突出部４ａとの境界部にそれぞれ断熱パネル１の一対の表面板３，３の直角折返し端部３ａ，３ａを差込み固定可能な二つの端部差込用溝４ｃ，４ｃが形成された枠部材４を使用する場合について説明したが、図４に示すように、幅方向両端部分にそれぞれ一つの長寸突出部４ａを有し、この長寸突出部４ａの肉厚中間部に一つの表面板端部差込用溝４ｃが形成された枠部材４を使用してもよい。
【００２１】
また、図示は省略するが、本発明に係る断熱パネルの接続構造を、断熱用側壁２を形成する断熱パネル１と断熱用床を形成する断熱パネルとの接続に適用してもよいこともちろんである。
【図面の簡単な説明】
【００２２】
【図１】本発明に係る断熱パネルの接続構造を、断熱用側壁の接続施工に適用した場合の要部の拡大横断面図である。
【図２】本発明に係る断熱パネルの接続構造に用いる枠部材の拡大断面図である。
【図３】本発明に係る断熱パネルの接続構造を、断熱用側壁と断熱用天井との接続施工に適用した場合の要部の横断平面図である。
【図４】本発明に係る断熱パネルの接続構造に用いる枠部材の変形例を示す拡大断面図である。
【符号の説明】
【００２３】
１，１Ｃ  断熱パネル
３  表面板
４  枠部材
４ａ  長寸突出部
４ｂ  短寸突出部
４ｃ  パネル端部の差込用溝
４ｄ  突条部
４ｅ  凹条部
５  発泡断熱芯材
【図１】
2008025108.tif 000003
【図２】
2008025108.tif 000004
【図３】
2008025108.tif 000005
【図４】
2008025108.tif 000006